(57)【要約】【課題】電力供給の制約条件下で、複数のＥＶを対象とした充電の管理を実現できる充電制御装置を提供することにある。【解決手段】本実施形態の充電制御装置は、電気自動車を充電対象として充電を実行する充電装置に適用し、電力供給の制約条件に基づいて、前記充電装置の充電制御を実行するための充電指示を受信する。前記充電制御装置は前記充電指示に基づいて、前記充電対象に対する充電制御を指定の範囲内で行う充電スケジューリングを実行する。【選択図】図２
2020018104.tif 000002
【特許請求の範囲】
【請求項１】
電気自動車を充電対象として充電を実行する充電装置に適用する充電制御装置であって、
電力供給の制約条件に基づいて、前記充電装置の充電制御を実行するための充電指示を受信する受信手段と、
前記充電指示に基づいて、前記充電対象に対する充電制御を指定の範囲内で行う充電スケジューリングを実行する制御手段と、
を具備する充電制御装置。
【請求項２】
前記充電装置は、複数の充電対象のそれぞれに対して充電可能な複数の充電器を含み、
前記制御手段は、
前記充電指示に含まれる前記複数の充電器のそれぞれを識別する識別情報に基づいて、充電器毎に充電スケジューリングを実行する、請求項１に記載の充電制御装置。
【請求項３】
前記制御手段は、
前記充電スケジューリングに基づいて実行した前記充電装置の充電実績を示す充電実績情報を作成する、請求項１又は２に記載の充電制御装置。
【請求項４】
前記充電実績情報は、前記電気自動車の１台毎の充電開示時刻、充電終了時刻、充電時間、及び充電電力推定値を含む、請求項３に記載の充電制御装置。
【請求項５】
前記制御手段は、
前記充電指示に基づいて、前記充電対象に対して充電終了時刻、充電必要時間、充電停止時間に応じた充電スケジューリングを実行する、請求項１から４のいずれか１項に記載の充電制御装置。
【請求項６】
請求項１から５のいずれか１項に記載の充電制御装置、認証装置、充電管理装置のそれぞれがネットワークを介して接続した充電管理システムにおいて、
前記認証装置は、
充電装置の識別情報及び電気自動車の使用者の識別情報との照合情報を作成する手段と、
前記照合情報を前記充電管理装置に送信する手段と、
を含み、
前記充電管理装置は、
前記照合情報を受信する手段と、
前記照合情報及び電力供給の制約条件に基づいて、充電制御を実行させるための充電コマンドを前記充電制御装置に送信する手段と、
を含む、充電管理システム。
【請求項７】
前記認証装置は、
無線通信機能を含む端末装置により構成されており、
前記充電装置の識別情報を読み込み、
前記電気自動車の使用者として認証された識別情報を記憶し、
前記照合情報を作成し、
前記照合情報を前記充電管理装置に送信する、請求項６に記載の充電管理システム。
【請求項８】
前記充電管理装置は、
前記充電制御装置から送信される、充電スケジューリングに基づいて実行した充電実績を、前記使用者の識別情報毎に示す充電実績情報を受信する手段と、
前記充電実績情報をデータベースに蓄積する手段と、
を含む、請求項６又は７のいずれか１項に記載の充電管理システム。
【請求項９】
前記充電制御装置は、
前記充電コマンドと自身が作成する充電実績情報との差に基づいて、前記充電装置と前記電気自動車との接続異常を検知する、請求項８に記載の充電管理システム。
【請求項１０】
前記充電制御装置は、
前記充電コマンドと自身が作成する充電実績情報との差に基づいて、前記電気自動車に対する満充電又は充電中断による充電終了又は充電開始を検知する、請求項８又は９に記載の充電管理システム。
【請求項１１】
前記充電制御装置は、
１つの全電力測定メータのみを有し、前記充電コマンドと全電力測定値に有意な差が生じたときに、充電器一つのみに電気を流すことをすべての充電器に対して行うことで充電器一つずつの使用電力を測定し、充電実績情報を作成することにより、充電終了又は充電開始した充電器を識別する、請求項８から１０のいずれか１項に記載の充電管理システム。
【請求項１２】
電気自動車を充電対象として充電を実行する充電装置に適用する充電制御方法であって、
電力供給の制約条件に基づいて、前記充電装置に対する充電制御に関する充電指示を受信する処理と、
前記充電指示に基づいて、前記充電対象に対する充電制御を指定の範囲内で行う充電スケジューリングを実行する処理と、
を実行する充電制御方法。
【請求項１３】
請求項１２に記載の充電制御方法による各処理を、コンピュータに実行させるプログラム。
【発明の詳細な説明】
【技術分野】
【０００１】
本発明の実施形態は、例えば電気自動車に適用する充電制御装置、充電管理システム、方法及びプログラムに関する。
【背景技術】
【０００２】
近年、環境問題等を要因として、電気自動車（以下、ＥＶと表記する場合がある）の普及が推進されている。ＥＶの普及には、充電設備の設置や、充電時間の確保などの条件を満たすことが要求される。
【０００３】
一般的に、工場や大規模店舗等の事業所では、多数のＥＶを対象として、駐車場のスペースに充電設備を設置することが可能である。また、ＥＶの使用者である事業所の従業員は、ＥＶを使用しない勤務中に、当該ＥＶに充電するための充電時間を確保することが可能である。
【先行技術文献】
【特許文献】
【０００４】
【特許文献１】特許第５９３１６４４号公報
【特許文献２】特開２０１７−１３９９６１号公報
【特許文献３】特開２０１６−１３４１６０号公報
【特許文献４】特開２０１５−１０７０４１号公報
【特許文献５】特許第６１２９７０１号公報
【発明の概要】
【発明が解決しようとする課題】
【０００５】
事業所は、電力会社からのデマンドレスポンス（ＤＲ）要請や、電力会社との契約電力等の電力供給の制約条件下で、複数のＥＶを対象とした充電の管理を行うことが必要となる。
【０００６】
そこで、目的は、電力供給の制約条件下で、複数のＥＶを対象とした充電の管理を実現できる充電制御装置を提供することにある。
【課題を解決するための手段】
【０００７】
本実施形態の充電制御装置は、電気自動車を充電対象として充電を実行する充電装置に適用する充電制御装置であって、受信手段及び制御手段を具備する。前記受信手段は、電力供給の制約条件に基づいて、前記充電装置の充電制御を実行するための充電指示を受信する。前記制御手段は、前記充電指示に基づいて、前記充電対象に対する充電制御を指定の範囲内で行う充電スケジューリングを実行する。
【図面の簡単な説明】
【０００８】
【図１】実施形態に関する充電管理システムの構成を説明するためのブロック図。
【図２】実施形態に関する充電装置の周辺部の一例を説明するための図。
【図３】実施形態に関する充電装置の構成を説明するためのブロック図。
【図４】実施形態に関する充電制御装置の動作を説明するためのフローチャート。
【発明を実施するための形態】
【０００９】
以下図面を参照して、実施形態を説明する。
［システム構成］
図１は、本実施形態の充電管理システム１の構成を示すブロック図である。図１に示すように、システム１は、クラウド上の充電管理装置１０、例えばインターネットであるネットワーク１１、及び複数（ｍ個）の充電装置１２を有する構成である。
【００１０】
充電管理装置１０は、ネットワーク１１に接続されて、充電装置１２との間で情報を交換するクラウドサーバである。充電装置１２は、後述するように、１個の充電制御装置に対してｎ個の充電器を有する（図２を参照）。事業所には、ｍ個の充電制御装置が設置される（図３を参照）。ｎ個の充電器は、複数のＥＶ１５-1〜１５-nに対する充電を行うための設備である。
【００１１】
充電管理装置１０は、ネットワーク１１を介して、事業所の電力供給の管理を行う上位システム１４からデマンドレスポンス（ＤＲ）要請や、事業所から電力会社との契約電力量に基づいたデマンドコントロール（ＤＣ）指示を受ける。充電管理装置１０は、ＤＲ／ＤＣ指示による電力供給の制約条件に基づいて、後述するように、充電装置１２に対する充電制御に関する充電コマンドを発行する。ここで、電力供給の制約条件とは、事業所において消費可能な合計電力（電力会社からの受電電力）の上限値を超えないという条件である。
【００１２】
上位システム１４はクラウドサーバ（リソースアグリゲータのシステム及び事業所の電力中央監視・指令システム）である。
【００１３】
さらに、充電管理装置１０は、ネットワーク１１を介して、ＥＶ１５-1〜１５-nの各ユーザのスマートフォン（スマホ）１３と接続する。本実施形態では、ＥＶ１５-1〜１５-nの各ユーザは、事業所に勤務する従業員とする。スマホ１３は、後述するように、従業員（ユーザ）が一種の認証装置として使用されるものであり、従業員（ユーザ）ＩＤや充電器ＩＤを充電管理装置１０に送信する。なお、スマホ１３は、無線通信機能を有し、当該認証装置として機能するものであれば、他の通信端末や情報端末でも良い。
【００１４】
電力装置１６は、後述する電力線１６０を経由して、充電装置１２に充電用電力を供給するための電源であり、電力会社から供給される電力の受電設備や、事業所に設置された太陽光発電装置（ＰＶ）、コジェネレーション装置、蓄電装置及び電力メータ等も含む。
【００１５】
図２は、実施形態に関する充電装置１２の周辺部の一例を示す図である。図２に示すように、充電装置１２は、事業所内に施設２０と共に設置された、駐車スペース２１に設けられた複数の充電器（充電スタンド）３２を含む。駐車スペース２１は、従業員が使用する駐車場である。施設２０とは、例えば工場、ビル、店舗等である。
【００１６】
各充電器３２-1〜３２-n（ここではn=3）はそれぞれ、ＥＶ１５-1〜１５-n（n=3）とケーブルを介して接続するためのコンセントを含む。各充電器３２-1〜３２-3は、充電を実行する。なお、本実施形態では、例えば８台の充電器３２-1〜３２-8や、１６台の充電器３２-1〜３２-16が設置される。
【００１７】
充電装置１２は、各充電器３２-1〜３２-3を制御する充電制御装置３０を含む。充電制御装置３０は、後述するように、エッジコンピュータを含む分電盤（図３を参照）、及び通信部３１を有する。充電制御装置３０は、通信部３１によりネットワーク１１を介して充電管理装置１０に含まれる通信部に接続し、後述する充電コマンドや各種の情報等を交換する。
【００１８】
スマホ１３は、通信部１３０、認証部１３１、ＱＲコード（登録商標）取り込み部１３２、及び照合情報作成部１３３を含む。通信部１３０は、無線通信機能によりネットワーク１１に接続して、各種の情報を交換する。スマホ１３は、内蔵するマイクロプロセッサ及びアプリケーションにより、認証部１３１、ＱＲコード取り込み部１３２、及び照合情報作成部１３３の各機能を実現する。
【００１９】
認証部１３１は、充電装置１２を使用して電力料金を支払う支払者を特定する認証情報を生成する。本実施形態では、電力料金の支払者として、充電装置１２を使用できる事業所の従業員とする。認証部１３１は、特定された従業員の従業員ＩＤを出力する。ＱＲコード取り込み部１３２は、各充電器３２-nに添付されたＱＲコードを読み込む。ＱＲコードは、当該充電器３２-nを識別する充電器ＩＤを示すデータである。なお、ＱＲコードの代わりに、充電器ＩＤを示す文字列や画像であっても良い。
【００２０】
照合情報作成部１３３は、認証部１３１から出力される従業員ＩＤと、読み込まれたＱＲコードに対応する充電器ＩＤとの照合情報を作成する。スマホ１３は、通信部１３０によりネットワーク１１を介して、充電管理装置１０に対して当該照合情報（日付や時刻を含む）を送信する。充電管理装置１０は、当該照合情報の受信に基づいて、後述する充電コマンドを生成して充電制御装置３０に送信する。
【００２１】
図３は、実施形態に関する充電装置１２の構成を示すブロック図である。図３に示すように、充電装置１２は、前述したように、事業所に設置されて、充電対象として複数のＥＶ１５-1〜１５-n（例えばn=8）に対する充電を行うための設備である。充電装置１２は、充電制御装置３０を構成し、充電器３２-1〜３２-n（n=8）を含む分電盤を有する。
【００２２】
充電器３２-1〜３２-nはそれぞれ、ＥＶ１５-1〜１５-nとケーブルを介して接続するコンセントを含む。なお、ケーブルは充電器に含まれていてもユーザが持ち込んでもよい。
充電器３２-1〜３２-nは、当該コンセントから充電用電力を出力する。充電器３２-1〜３２-nにはそれぞれ、充電器ＩＤを示すＱＲコードが添付されている。
【００２３】
充電制御装置（分電盤）３０は、エッジコンピュータ３３、電力線１６０に接続する電力測定用のメータ３５、コンタクタ３６-1〜３６-n、及び充電器３２-1〜３２-nを含む。
【００２４】
エッジコンピュータ３３は、いわばＥＶをＶＰＰ（Virtual Power Plant）として扱う機能を実現するコントローラであり、後述するように、充電管理装置１０から送信される充電コマンドに基づいて、充電制御を指定の範囲内で行う充電スケジューリングを実行する。エッジコンピュータ３３は、充電スケジューリングを実行する充電スケジューラ機能（ソフトウェア）を有する。
【００２５】
充電コマンドは充電の開始指示又は抑制指示を含み、例えば充電終了時刻、充電必要時間、充電停止時間等の指定の範囲を含む。充電管理装置１０は、例えば、ＤＲ要請の単位時間毎（例えば３０分毎）に充電コマンドをエッジコンピュータ３３に送信する。
【００２６】
ここで、電力装置１６からの充電用電力は、電力線１６０を介して充電制御装置３０に入力される。充電用電力は、コンタクタ３６-1〜３６-nを経由して、充電器３２-1〜３２-nの各コンセントまたはケーブルから出力される。
【００２７】
エッジコンピュータ３３は、コンタクタ３６-1〜３６-nのそれぞれを、充電用電力の供給／停止を切替えるスイッチとして制御する。エッジコンピュータ３３は、コンタクタ３６-1〜３６-nを制御し、メータ３５からの電力測定値を使用して、後述するソフトセンサ処理を実行する。
［作用効果］
次に、図４のフローチャートを参照して、本実施形態の充電制御装置３０の動作を説明する。
【００２８】
まず、図２に示すように、事業所に出勤した従業員（ＥＶのユーザ）は、ＥＶ１５-nを駐車スペース２１に駐車して、充電器３２-nのコンセントにケーブルを介して接続する。ここで、従業員は、自身のスマホ１３から、前述した照合情報を、いわばＥＶ充電開始通知として充電管理装置１０に送信する。当該照合情報は、充電器３２-nに添付されたＱＲコードに対応する充電器ＩＤ、従業員ＩＤ及び日付と時刻データを含む。
【００２９】
充電管理装置１０は、スマホ１３からのＥＶ充電通知に応じて、当該充電器ＩＤで識別される１台毎の充電器３２-nに対応する充電コマンドを、例えばＤＲ要請の単位時間毎（例えば３０分毎）に充電制御装置３０のエッジコンピュータ３３に送信する。なお、前述したように、充電装置１２は、充電対象として、例えば８台分のＥＶ１５-1〜１５-n（n=8）に対する充電を行うための設備として、充電器３２-1〜３２-n（n=8）を有する。
【００３０】
ここで、充電管理装置１０は、スマホ１３からのＥＶ充電通知があっても、例えば充電器とＥＶとの接続ミス等が発生した場合には、充電開始処理を実行しない。充電管理装置１０は、ＥＶ充電通知を無効にして、従業員のスマホ１３にその旨を通知する。ここで、充電管理装置１０は、例えば、充電装置１２からの充電実績と充電コマンドとの差（充電開始時刻等）に基づいて、ケーブル外れ等による充電器とＥＶとの接続ミス（接続異常）の発生を検知できる。また、充電装置１２は、エッジコンピュータ３３が検知した値（充電実績）と、制御値との差に基づいて、ケーブル外れ等による充電器とＥＶとの接続ミスの発生を検知できる。
【００３１】
充電装置１２は、充電が終了するまで充電を継続する。ここで、ＥＶは満充電になると、例えば自動的に充電を終了する。結果として、充電器への電流が流れなくなり、充電装置１２は充電終了となる。
【００３２】
図４に示すように、エッジコンピュータ３３は、充電管理装置１０から送信される充電コマンドを取得する（Ｓ１）。充電コマンドは充電の開始指示又は抑制指示を含み、例えば充電終了時刻、充電必要時間、充電停止時間等の指定の範囲、及び充電器ＩＤを含む。
【００３３】
次に、エッジコンピュータ３３は、充電装置１２の充電バランス観点による充電スケジューリングに基づいた新たな充電コマンドを、充電管理装置１０から受信した場合（Ｓ２のＹＥＳ）、充電スケジューリングの設定を見直す処理を実行する（Ｓ３）。この場合、新たな充電コマンドとしては、例えば各充電器３２-nにおいて接続したＥＶ１５-nについて、先着優先的に充電を指示するものである。また、新たな充電コマンドとしては、例えば各充電器３２-nにおいて、平均的充電を指示するものである。エッジコンピュータ３３は、充電スケジューリングの設定を変更する。また、エッジコンピュータ３３は、充電管理装置１０から送信される充電コマンドに含まれる充電器ＩＤに基づいて、新たな充電設備の稼働情報を取得した場合には（Ｓ７のＹＥＳ）、充電スケジューリングの設定を見直す処理を実行する（Ｓ３）。エッジコンピュータ３３は、設定に基づいて、充電制御を指定の範囲内で行う充電スケジューリングを実行する（Ｓ４）。
【００３４】
エッジコンピュータ３３は、充電スケジューリングにより、前述した事業所の電力供給の制約条件を満たすように、充電器毎の充電制御を実行する（Ｓ５）。具体例として、例えば６台の充電器３２-n（n=1-6）を使用して、６台のＥＶ１５-n（n=1-６）を充電する場合とする。１台の充電器３２-nは、例えば３時間で１台のＥＶ１５-nに対する充電完了できる場合、同時に充電する充電器を３台に抑制すると、６時間（３時間×３台を２回行う）で充電完了となる。
【００３５】
エッジコンピュータ３３は、取得する充電コマンド（例えば３０分毎）に応じて、各充電器３２-nを抑制台数に至るまで、順番にオンし、例えば１時間経過したらオフする制御を行う。但し、１台の充電器３２-nにおいて、充電開始後に１時間経過しても、空の充電器がある場合には、充電を継続する。このような充電スケジューリングにより、各充電器３２-nが順次充電完了して、例えば充電の開始時刻が事業所の定時より早く、又は遅くなる充電器３２-nが混在する場合には、定時から例えば５時間で６台分のＥＶ１５-nに対して充電完了することが可能となる。
【００３６】
ここで、エッジコンピュータ３３は、充電コマンドとして、ＤＲ要請に伴う充電抑制指示（充電停止時間を含む）を受信した場合には、全ての充電器３２-nをオフにして、当該ＤＲ要請に対応するまで充電を停止することになる。即ち、エッジコンピュータ３３は、
コンタクタ３６-nを開（オフ）にすることにより、充電器３２-nへの充電用電力の供給を停止する。
【００３７】
エッジコンピュータ３３は、充電管理装置１０からＤＲ対応処理後に送信される充電コマンド又は指示された充電停止時間が経過すると、充電スケジューリングを再開する。即ち、エッジコンピュータ３３は、コンタクト３６-nを閉（オン）にすることにより、充電器３２-nへの充電用電力供給を再開する。
【００３８】
ここで、エッジコンピュータ３３は、ＤＲ対応前の充電制御状態を継続するか、又は充電制御状態をリセットして充電スケジューリングを再起動する。但し、充電スケジューリングを再起動した場合、前述の具体例において、３台の充電器３２-nが充電完了する順番が入れ替わる可能性がある。
【００３９】
これにより、充電管理装置１０は、例えば、上位システム１４からの下げＤＲの要請に対応する下げＤＣ指示に応じた充電管理を実行できる。また、充電管理装置１０は、充電可能電力量の平滑化を実現できる。さらに、充電管理装置１０は、事業所の電力需要の減少(契約電力との余裕増大)分に対応する上げＤＣ指示に応じた充電管理を実行できる。
【００４０】
また、エッジコンピュータ３３は、後述するソフトセンサ処理により消費電力量が０になる充電器３２-nを検出すると、受電不要の設備として認識する（Ｓ６のＹＥＳ）。この場合でも、エッジコンピュータ３３は、充電スケジューリングを見直す処理を実行する（Ｓ３）。この場合、エッジコンピュータ３３は、コンタクタ３６-nを開（オフ）にすることにより、当該充電器３２-nへの充電用電力の供給を停止してもよい。
【００４１】
この場合、エッジコンピュータ３３は、新たに充電設備として使用することとなった充電器を含めた充電スケジューリングを実行することになる。
【００４２】
エッジコンピュータ３３は、充電器３２-nの１台毎に充電実績を認識し、当該充電実績情報を充電管理装置１０に通知する（Ｓ８）。充電実績情報は、充電開示時刻、充電終了時刻、充電時間、充電電力量等を含む。ここで、前述したように、スマホ１３は、認証部１３１で特定された従業員の従業員ＩＤを保持し、ＱＲコード取り込み部１３２により各充電器３２-nに添付されたＱＲコードを読み込む。スマホ１３は、従業員ＩＤとＱＲコードに対応する充電器ＩＤとの照合情報を作成し、当該照合情報（日付や時刻を含む）を充電管理装置１０に対して送信する。
【００４３】
これにより、充電管理装置１０は、充電実績情報と前述したようにスマホ１３から別途受信する照合情報とを対応付けて、データベースに蓄積する。また、充電管理装置１０は、従業員毎に対応付けられた充電器に対して、エッジコンピュータ３３を介して充電指示を行うことが可能となる。さらに、充電管理装置１０は、例えば、従業員向けの課金情報（ＥＶの充電量に対応する料金）や、ＥＶの充電状況を含むログ情報等の生成に利用できる。
【００４４】
ここで、本実施形態のエッジコンピュータ３３は、ソフトセンサ処理により、当該充電実績情報に含まれる、ＥＶ毎の充電時間及び充電電力量を測定する。ソフトセンサ処理は、各ＥＶの充電時間及び充電電力量を測定するための各センサ（複数の子メータ）を用意することなく、１個のメータ（親メータ）３５のみを使用して、複数の存在しないセンサの出力を推定する処理である。
【００４５】
エッジコンピュータ３３は、コンタクタ３６-1〜３６-nをスイッチとして制御し、各充電器３２-nを介して各ＥＶ１５-nに対する充電用電力の供給／停止を切替える。エッジコンピュータ３３は、１個のメータ３５からの電力測定値を使用して、ＥＶ毎の充電時間及び充電電力量を測定するソフトセンサ処理を実行する。
【００４６】
ここで、充電電力量を１分毎に測定すれば、電力変動を１分毎に判定できる。一方、測定したい時にソフトセンサ処理を実行すると、電力線１６０に対する開閉回数が膨大となり、機械式開閉器であるコンタクタ３６-1〜３６-nの寿命が短縮するため、充電用電力の供給／停止の切替え回数を減少させることが望ましい。
【００４７】
そこで、本実施形態では、エッジコンピュータ３３は、メータ３５を使用した電力量の測定を、充電スケジューリングの間隔より短く、かつ、受電時間（充電時間）を検出できる精度に合わせた時間間隔で実行する。但し、エッジコンピュータ３３は、電力線１６０に対する開閉をしていないのに全体電力量が変動した場合には、ソフトセンサ処理を実行して、受電不要の充電器３２-nの識別と受電時間を認識する。
【００４８】
また、受電時間（充電時間）を検出できる精度に合わせた時間間隔が充電スケジューリングの間隔と同じ場合には、更に電力線１６０に対する開閉回数を減少できる。エッジコンピュータ３３は、次の充電スケジュールによる電力線１６０の開閉直前で、電力量を測定し、電力量が想定より少なければ、受電不要の充電器３２-nの識別と個数を認識できる。
【００４９】
次に、エッジコンピュータ３３は、ソフトセンサ処理を実行して、コンタクタ３６-1〜３６-nを順に１個ずつ開(オフ)とした場合に、電力量が想定通りに変動しない充電器３２-nに接続しているＥＶ１５-nを認識できる。即ち、エッジコンピュータ３３は、当該充電器３２-nが充電終了機器であることを認識できる。なお、エッジコンピュータ３３は、受電終了の充電器３２-nが判明した場合には（Ｓ６のＹＥＳ）、前述したように、充電スケジュールの見直し処理を実行する（Ｓ３）。
【００５０】
以上のように本実施形態の充電制御装置によれば、電力供給の制約条件に基づいて充電管理を行う充電管理装置（サーバ）からの充電コマンドに従って、複数のＥＶに対して充電制御を指定の範囲内で行う充電スケジューリングを実行できる。従って、複数のＥＶを対象とした適切な充電管理の仕組みを実現することができる。
【００５１】
特に、本実施形態の充電制御装置を、ＥＶの使用者である多数の従業員が勤務する事業所の充電管理システムに適用することにより、契約電力量、ＤＲ／ＤＣ、ＰＶ発電量等の電力供給の制約条件に基づいて、1台毎のＥＶに対する1日当たりの充電処理を適切に管理することが可能となる。
【００５２】
この場合、充電管理システムとしては、ＥＶ毎の充電実績情報を、従業員ＩＤ及び充電器ＩＤと対応付けてデータベースに蓄積できる。このデータベースに蓄積された情報を利用して、ＥＶ毎の充電状況や、従業員毎のＥＶの使用状況、あるいは充電器毎の利用状況等を分析することが可能となる。
【００５３】
さらに、充電管理システムとしては、例えば、各ＥＶに対する充電を適宜抑制できるため、事業所の契約電力量に応じた電力料金の増大を招くような事態を抑制できる。また、ＥＶを使用しない従業員の１日の勤務中に、駐車場に駐車中のＥＶに充電することができるため、従業員の出勤時に充電が集中するような事態を回避できる。
【００５４】
さらに、従業員は自宅にＥＶの充電設備を設置する必要性がないため、充電設備に関する阻害要因を解消できるため、ＥＶ普及を促進することができる。これにより、従来のガソリン使用の自動車を利用する場合の通勤手当を抑制できると共に、ＣＯ２削減等の環境改善に貢献できる。また、事業所内において、ＥＶの充電用として、ＰＶ発電等の再生エネルギーの使用量を増大させることにより、ＲＥ（Renewable Energy）１００と呼ばれる国際的目標の達成に貢献できる。
【００５５】
なお、本実施形態において、充電器毎に電力仕様が異なる場合は、例えば、スマホに当該電力仕様の情報を組み込むことが望ましい。前述したように、充電制御装置は、充電コマンドから、ＥＶが接続されて充電可能な充電器のＩＤを認識できる。一方、充電制御装置は、当該ＥＶのＩＤを認識する必要はない。
【００５６】
さらに、充電制御装置は、従業員ＩＤを含み、従業員毎（ＥＶ毎）の充電実績を示す充電実績情報を作成して充電管理装置１０に送信する。これにより、従業員が属する組織や、従業員毎に課金や充電量の報告を行うことができる。
【００５７】
この場合、例えば、スマホに個人課金の仕組み(例えば、クレジットカード登録と料金回収機能との連携)が組み込まれていれば、月締め等で自動課金・自動回収を行うことができる。また、福利厚生による手当てやクーポン及び無料クーポンの量(電力量、充電時間、走行距離などに基づいてシステム内で変換する)を、スマホ１３からシステムに送信すれば、課金時に反映させることも可能である。
【００５８】
さらに、本実施形態の充電制御装置を適用する充電管理システムであれば、電池交換型のＥＶの充電管理にも適用できる。電池交換型のＥＶの場合には、電池をＥＶ間でシェアすることが可能であり、駐車場においてＥＶから取り外した電池を充電する際には、電池の充電計画を予測し易い側面がある。
【００５９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６０】
１…充電管理システム、１０…充電管理装置、１１…ネットワーク、
１２…充電装置、１３…スマートフォン（スマホ）、１４…上位システム、
１５-1〜１５-n…電気自動車（ＥＶ）、１６…電力装置、
２０…施設、２１…駐車スペース、３０…充電制御装置、３１…通信部、
３２-1〜３２-n…充電器、３３…エッジコンピュータ、１６０…電力線。
【図１】
2020018104.tif 000003
【図２】
2020018104.tif 000004
【図３】
2020018104.tif 000005
【図４】
2020018104.tif 000006